(57)【特許請求の範囲】
【請求項１】
建物の外壁の上端外面と既存の軒天の後端部とのなすコーナー部分に後側の軒天支持部材を取り付け、鼻板の外面側に新規の鼻板カバーを取り付けると共に、新規の鼻板カバーの下端部に前側の軒天支持部材を水平軸回りに回動可能に取り付けるにあたって、前側の軒天支持部材は、軸受け部とこの軸受け部に回動自在に支持される軸部とからなるヒンジ部材により新規の鼻板カバーに対して角度調整自在とされていると共に、上記軸部が前側の軒天支持部材の下端部から延びた延出部の先端に設けられ、上記軸受け部が新規の鼻板カバーの下端部に設けられ、新規の軒天の後端部を後側の軒天支持部材に嵌め込み、前端部を前側の軒天支持部材に嵌め込んで成ることを特徴とする改装軒先の構造。
【請求項２】
新規の鼻板カバーに、軒樋を支持する軒樋支持金具を取り付けると共に、軒樋支持金具に軒樋の高さを調整するための高さ調整部を設けたことを特徴とする請求項１記載の改装軒先の構造。
【請求項３】
軒樋支持金具は、新規の鼻板カバーに対して横方向にスライド自在となっていることを特徴とする請求項２記載の改装軒先の構造。
【発明の詳細な説明】
【０００１】
【発明の属する技術分野】
本発明は、改装軒先の構造に関するものである。
【０００２】
【従来の技術】
従来、軒先の改装工事にあっては、既存の軒天の表面及び鼻板カバーの表面をペンキによる塗装処理を行っているのが一般的である。
【０００３】
【発明が解決しようとする課題】
このような塗装による改装工事では、外観良く仕上げるためには熟練が必要となる。特に、既存の軒天に合板が使われている場合に、合板の表面が剥がれているときには塗装による改装が不可能であり、この場合にあっては既存の軒天を取り外して改装用の軒天を新たに取り付ける必要があり、改装工事に多大な手間とコストがかかるという問題があった。特に、改装用の軒天が勾配軒天の場合には、軒天の取り付けに一層手間がかかるものであった。
【０００４】
本発明は、上記の従来例の問題点に鑑みて発明したものであって、その目的とするところは、既存の軒天を取り外すことなく軒先の改装を簡易に且つ納まり良く行うことができ、しかも、新規の軒天を水平軒天或いは勾配軒天のいずれにも簡単に改装でき、軒先の改装にかかる手間とコストを大幅に削減できる改装軒先の構造を提供するにある。
【０００５】
【課題を解決するための手段】
上記課題を解決するために本発明にあっては、建物の外壁１の上端外面と既存の軒天２の後端部２ａとのなすコーナー部分３に後側の軒天支持部材４を取り付け、鼻板３０の外面側に新規の鼻板カバー１１を取り付けると共に、新規の鼻板カバー１１の下端部に前側の軒天支持部材５を水平軸回りに回動可能に取り付け、新規の軒天１０の後端部１０ａを後側の軒天支持部材４に嵌め込み、前端部１０ｂを前側の軒天支持部材５に嵌め込んで成ることを特徴としており、このように構成することで、軒先を改装するにあたっては、既存の軒天２をそのまま残し、既存の鼻板カバーのみを取り外して、前側の軒天支持部材５が一体に設けられた新規の鼻板カバー１１を取り付けると共に、建物の外壁１の上端外面のコーナー部分３に後側の軒天支持部材４を取り付けることによって、既存の軒天２の下方に新規の軒天１０を新設できると共に、既存の軒天２を取り外す必要がなくなる。また、前側の軒天支持部材５の角度が調整自在となっているので、新規の軒天１０を水平軒天或いは勾配軒天のいずれに改装する場合にも容易に対応できるようになる。
【０００６】
また上記前側の軒天支持部材５は、軸受け部６とこの軸受け部６に回動自在に支持される軸部７とからなるヒンジ部材８により新規の鼻板カバー１１に対して角度調整自在とされていると共に、上記軸部７が前側の軒天支持部材５の下端部から延びた延出部５ａの先端に設けられ、上記軸受け部６が新規の鼻板カバー１１の下端部に設けられているので、簡易なヒンジ構造で、前側の軒天支持部材５の角度が調整自在となる。
【０００７】
また上記新規の鼻板カバー１１に、軒樋１２を支持する軒樋支持金具１３を取り付けると共に、軒樋支持金具１３に軒樋１２の高さを調整するための高さ調整部１４を設けるのが好ましく、この場合、新規の鼻板カバー１１を鼻板３０に取り付ける際には新規の鼻板カバー１１の取り付け高さを調整したりする必要がなく、しかも軒樋１２の高さ位置を後から自由に調整できるようになる。
【０００８】
また上記軒樋支持金具１３は、新規の鼻板カバー１１に対して横方向Ａにスライド自在となっているのが好ましく、この場合、新規の鼻板カバー１１に対する軒樋支持金具１３の取り付け位置の変更、位置決めが容易となり、しかも軒樋支持金具１３がスライドガイドを兼用することで、部品点数を削減できる。
【０００９】
【発明の実施の形態】
以下、本発明を添付図面に示す実施形態に基づいて説明する。
【００１０】
図１は改装後の軒先の状態を示している。建物の外壁１の上端外面と既存の軒天２の後端部２ａとのなすコーナー部分３には、新規の軒天１０の後端部１０ａを支持するための後側の軒天支持部材４が取り付けられている。本例では、後側の軒天支持部材４は、軒先側Ｂに向けて開口した側面視略コ字状に形成されており、建物の外壁１の上端外面にビス、釘などの固着具（図示せず）にて固着されている。なお、外壁１は既存の壁、或いは新たに改装された新規の壁のいずれであってもよい。
【００１１】
一方、鼻板３０の外面側には、新規の鼻板カバー１１が取り付けられている。この新規の鼻板カバー１１は、鼻板３０の外面から隙間をあけてネジなどの固着具１５によって鼻板３０の外面に固着される縦板部１６と、縦板部１６の下端から屋内側Ｃに突出して鼻板３０の下面を覆う横板部１７とが一体形成されている。横板部１７の先端にはヒンジ部材８を介して、新規の軒天１０の前端部１０ｂを支持する前側の軒天支持部材５が一体に設けられている。前側の軒天支持部材５は、鼻板カバー１１側と反対側に向けて開口した側面視略コ字状に形成されている。
【００１２】
上記ヒンジ部材８は、図２に示すように、断面略Ｃ字形の軸受け部６と、この軸受け部６内に上下回り所定角度で回動自在に支持される水平方向に延びた断面円形状の軸部７とからなる。本例では、軸部７が前側の軒天支持部材５の下端部から延びた延出部５ａの先端に一体に設けられ、軸受け部６が新規の鼻板カバー１１の下端部、つまり横板部１７の先端に一体に設けられている。このヒンジ部材８によって前側の軒天支持部材５の向きを横向きから斜め上向きまで調整自在とするための角度調整部が構成されている。
【００１３】
新規の鼻板カバー１１には、軒樋１２を支持する軒樋支持金具１３が取り付けられている。軒樋支持金具１３は、吊金具９と、樋受け金具１８と、高さ調整部１４とで主体が構成されている。吊金具９は、図３に示すように、新規の鼻板カバー１１の裏側に配置されるスライド片１９と、新規の鼻板カバー１１の外側に配置される垂下片２０とが略逆Ｕ字状に一体形成されている。スライド片１９の下端に係止部２１が突設され、この係止部２１が新規の鼻板カバー１１の裏面側に設けられた上下一対の凸リブ２２ａ，２２ｂからなる凹状のガイド部２２内にスライド支持されている。新規の鼻板カバー１１の裏面上部にはスライド片１９の上部外面に摺接する摺接部２３が設けられ、この摺接部２３によって吊金具９は安定姿勢を保ちながらガイド部２２に沿って横方向Ａにスライド自在となっている。
【００１４】
一方、吊金具９の垂下片２０は、図５に示すように、縦方向に長いバー状に形成され、この垂下片２０に高さ調整部１４を備えた樋受け金具１８が装着されている。高さ調整部１４は、上下両端に屈曲片２５が同じ向きにそれぞれ屈曲形成されたバネ板２４からなり、上側の屈曲片２５は先端程上方に傾斜しており、下側の屈曲片２５は先端程下方に傾斜している。各屈曲片２５には上下に貫通する貫通孔２６がそれぞれ穿孔されており、図３に示すように、吊金具９の垂下片２０に対して下方からバネ板２４の貫通孔２６を嵌め込んでバネ板２４を垂下片２０に対して吊り下げ係止できるようになっている。図４、図５はバネ板２４を垂下片２０に装着した状態を示している。ここで、バネ板２４の上下の屈曲片２５を手でつまんで矢印ニで示す方向に変形させると、図７（ｂ）に示すように、垂下片２０が屈曲片２５の貫通孔２６内でフリーとなり、バネ板２４を矢印ヘで示す上下方向に移動させて軒樋１２の高さを調整できるようになっている。その後、屈曲片２５，２５から手を離して図６（ａ）の矢印ホで示す方向に屈曲片２５，２５を開くと、図６（ｂ）に示すように、各屈曲片２５が垂下片２０に対して傾斜して、貫通孔２６の縁部２６ａに垂下片２０が引掛かり、これによって上下の屈曲片２５，２５は上下に移動できなくなり、バネ力を利用してバネ板２４をその高さ位置で固定できるようになっている。
【００１５】
上記バネ板２４は、連結片２７を介して樋受け金具１８の斜め上方に突設された立ち上がり片２８に一体に連結されている。樋受け金具１８の前後方向の両端部には一対の係止部２９，３０がそれぞれ設けられており、各係止部２９，３０に軒樋１２の前後両端部に設けられた一対の耳部３１，３２をそれぞれ係止させることによって、軒樋１２を樋受け金具１８に取り付けることができるようなっている。
【００１６】
しかして、軒先を改装するにあたっては、既存の軒天２及び鼻板３０をそのまま残し、既存の鼻板カバー（図示せず）のみを取り外し、前側の軒天支持部材５が一体に設けられた新規の鼻板カバー１１を鼻板３０に釘などで固定する。一方、建物の外壁１の上端外面のコーナー部分３には後側の軒天支持部材４を釘などで固定する。その後、新規の軒天１０の後端部１０ａを後側の軒天支持部材４に嵌め込み、新規の軒天１０の前端部１０ｂを新規の鼻板カバー１１に設けた前側の軒天支持部材５に嵌め込む。これにより既存の軒天２の下方に新規の軒天１０を取り付けることができると共に、既存の軒天２を取り外す必要がなく、そのうえ、従来のような塗装工事と比較して、熟練者でなくても簡易に改装工事を行うことができ、低コスト化及び省施工化を図ることができる。また、前側の軒天支持部材５は新規の鼻板カバー１１の下端部にヒンジ部材８を介して角度調整自在に連結されているので、既存の軒天２を図１のように水平軒天としたい場合は、後側の軒天支持部材４を前側の軒天支持部材５と同じ高さに取り付ることで新規の水平軒天とすることができ、一方、既存の軒天が勾配軒天の場合において、後側の軒天支持部材４を前側の軒天支持部材５よりも高い位置に配置すれば、新規の軒天１０もまた勾配軒天とすることができ、いずれの場合も、軒先の改装にかかる手間とコストを大幅に削減できるものとなる。
【００１７】
また、新規の鼻板カバー１１に軒樋１２を取り付けるにあたっては、新規の鼻板カバー１１に吊金具９をスライド自在に取り付け、吊金具９のこの垂下片２０に樋受け金具１８に設けたバネ板２４を嵌め込む。このとき、バネ板２４を手でつまんで高さ調整を容易に行うことができる。これにより、新規の鼻板カバー１１を鼻板３０に取り付ける際に新規の鼻板カバー１１の取り付け高さを調整する必要がなく、軒樋支持金具１３の取り付け作業がはかどるうえに、軒樋１２の高さ位置を後から自由に調整できるので、軒樋１２の納まりを良くすることができる。また、１つの新規の鼻板カバー１１によって新規の軒天１０の前端部１０ｂの支持と軒樋支持金具１３の支持とを行えるので、部材の一層の合理化を図ることができると共に、新規の鼻板カバー１１の下端部と前側の軒天支持部材５との間をヒンジ部材８を介して連結することで、新規の鼻板カバー１１と前側の軒天支持部材５との間に外観上連続した一体感が得られるようになり、また新規の軒天１０の前端部１０ｂの納まりが良くなり、一方、建物の外壁１の上端外面のコーナー部分３に後側の軒天支持部材４を固着することで、新規の軒天１０の後端部１０ａの納まりも良くなり、良好な仕上り状態が得られるようになる。
【００１８】
さらに、吊金具９のスライド片１９を新規の鼻板カバー１１の裏側に設けたガイド部２２に沿ってスライド自在とすることで、新規の鼻板カバー１１に対する吊金具９の取り付け位置の変更、位置決めが容易となり、取り付け作業が一層はかどるうえに、吊金具９が、軒天支持金具１３を鼻板カバー１１に対してスライド支持するためのスライドガイドを兼用することによって、部品点数を少なくでき、構造の簡素化、部材の一層の合理化を図ることができる。また、吊金具９を新規の鼻板カバー１１にビス、釘打ちなどによって固定する必要がないので、取り付け作業性が一層良くなるという利点もある。
【００１９】
【発明の効果】
上述のように請求項１記載の発明にあっては、建物の外壁の上端外面と既存の軒天の後端部とのなすコーナー部分に、後側の軒天支持部材を取り付け、鼻板の外面側に新規の鼻板カバーを取り付けると共に、新規の鼻板カバーの下端部に前側の軒天支持部材を水平軸回りに回動可能に取り付け、新規の軒天の後端部を後側の軒天支持部材に嵌め込み、前端部を前側の軒天支持部材に嵌め込んで成るので、新規の軒天の後端部を後側の軒天支持部材に嵌め込み、新規の軒天の前端部を新規の鼻板カバーに取り付けられた前側の軒天支持部材に嵌め込むことで、既存の軒天をそのまま残して新規の軒天を取り付けることができ、しかも、従来のような塗装工事と比較して、熟練者でなくても簡易に改装工事を行うことができ、低コスト化及び省施工化を図ることができる。また、前側の軒天支持部材の角度が調整自在となっているので、新規の軒天を水平軒天或いは勾配軒天のいずれにも簡単に改装でき、さらに、１つの新規の鼻板カバーによって新規の軒天の前端部の支持と軒樋支持金具の支持との両方を行うことができるので、部材の一層の合理化を図ることができ、軒先の改装にかかる手間とコストを大幅に削減できるものである。
【００２０】
また上記前側の軒天支持部材は、軸受け部とこの軸受け部に回動自在に支持される軸部とからなるヒンジ部材により新規の鼻板カバーに対して角度調整自在とされていると共に、上記軸部が前側の軒天支持部材の下端部から延びた延出部の先端に設けられ、上記軸受け部が新規の鼻板カバーの下端部に設けられているので、ヒンジ部材の軸受け部を新規の鼻板カバーの下端部に設け、軸部を前側の軒天支持部材に設けることにより、簡易なヒンジ構造で、前側の軒天支持部材を角度調整自在に取り付けることができる。
【００２１】
また請求項２記載の発明は、請求項１記載の効果に加えて、新規の鼻板カバーに、軒樋を支持する軒樋支持金具を取り付けると共に、軒樋支持金具に軒樋の高さを調整するための高さ調整部を設けたので、新規の鼻板カバーを鼻板に取り付ける際には新規の鼻板カバーの取り付け高さを調整したりする必要がなく、軒樋支持金具の取り付け作業がはかどる。しかも軒樋の高さ位置を後から自由に調整でき、軒樋を納まり良く取り付けることができる。
【００２２】
また請求項３記載の発明は、請求項２記載の効果に加えて、軒樋支持金具は、新規の鼻板カバーに対して横方向にスライド自在となっているので、新規の鼻板カバーに対する軒樋支持金具の取り付け位置の変更、位置決めが容易となり、取り付け作業が一層はかどるうえに、軒樋支持金具がスライドガイドを兼用することで、部品点数が少なく、構造の簡素化、部材の合理化を図ることができる。
【図面の簡単な説明】
【図１】本発明の実施形態の一例を示す断面図である。
【図２】（ａ）は同上の新規の鼻板カバーの斜視図、（ｂ）は（ａ）のイ部の拡大断面図である。
【図３】同上の軒樋支持金具と樋受け金具の分解側面図である。
【図４】同上の樋受け金具のバネ板を軒樋支持金具の垂下片に装着した状態の側面図である。
【図５】同上の樋受け金具のバネ板を軒樋支持金具の垂下片に装着した状態の斜視図である。
【図６】（ａ）はバネ板を開いた状態の断面図、（ｂ）は（ａ）のロ部の拡大断面図である。
【図７】（ａ）はバネ板を閉じた状態の断面図、（ｂ）は（ａ）のハ部の拡大断面図である。
【符号の説明】
１  外壁
２  既存の軒天
２ａ  既存の軒天の後端部
２ｂ  既存の軒天の前端部
３  コーナー部分
４  後側の軒天支持部材
５  前側の軒天支持部材
６  軸受け部
７  軸部
８  ヒンジ部材
１０  新規の軒天
１０ａ  新規の軒天の後端部
１０ｂ  新規の軒天の前端部
１１  新規の鼻板カバー
１２  軒樋
１３  軒樋支持金具
１４  高さ調整部
３０  鼻板
Ａ  横方向
【図１】
0003617432.tif 000002
【図２】
0003617432.tif 000003
【図３】
0003617432.tif 000004
【図４】
0003617432.tif 000005
【図５】
0003617432.tif 000006
【図６】
0003617432.tif 000007
【図７】
0003617432.tif 000008